(57)【要約】      （修正有）【課題】持ち運び時における液漏れ防止や整理整頓を容易に実現し、絵の具入りチューブの取り出しおよび内部の清掃等を簡易に行うことができる絵の具箱を提供する。【解決手段】絵の具箱の本体１内を仕切部材２０によって区画した形状の絵の具箱であって、前記した仕切部材２０は、本体１の長手方向側面部とほぼ同一長さに形成された細長帯状の後部仕切板２１と、該後部仕切板２１と同一に形成された前部仕切板２２と、前記の両仕切板よりも横寸法が短く形成され、且つ両仕切板間に着脱自在に取付けられた格子状仕切板２３とを備えて成り、格子状仕切板２３によって形成された多数の小区画内に、絵の具入りチューブ５のそれぞれを縦状に個別収納し、また前記小区画の横に形成された空隙部に液体充填容器７を縦状に収納するように構成する。【選択図】図１
0003149232.tif 000002
【実用新案登録請求の範囲】
【請求項１】
その内部が仕切部材によって区画された形状の絵の具箱の本体に開閉自在な蓋体が取付けられ、その区画された各部に絵の具セットの各物品をそれぞれ区分して収納し、且つその絵の具セットのうちの所定物品を縦状に収納可能に形成して成る絵の具箱であって、前記した所定物品を、絵の具入りチューブと液体充填容器とし、また前記した仕切部材は、本体の長手方向側面部とほぼ同一長さに形成された細長帯状の後部仕切板と、該後部仕切板と同一に形成された前部仕切板と、前記の両仕切板よりも横寸法が短く形成され、且つ両仕切板間に着脱自在に取付けられた格子状仕切板とを備えて成り、その後部仕切板と前部仕切板間に格子状仕切板を存した形状の仕切部材を、本体内の中央を横断して着脱自在に取付けた構成とするとともに、前記した格子状仕切板によって形成された多数の小区画内に、絵の具入りチューブのそれぞれを縦状に個別収納し、また前記小区画の横に形成された空隙部に液体充填容器を縦状に収納し、その収納状態を維持して移送するようにしたことを特徴とする絵の具箱。
【請求項２】
その内部が仕切部材によって区画された形状の絵の具箱の本体に開閉自在な蓋体が取付けられ、その区画された各部に絵の具セットの各物品をそれぞれ区分して収納し、且つその絵の具セットのうちの所定物品を縦状に収納可能に形成して成る絵の具箱であって、前記した所定物品を、絵の具包装箱と液体充填容器とし、また前記した仕切部材は、本体側面部に着脱自在に取付けられ、且ついずれも細長帯状に形成された長さの異なる３枚の仕切板を備えて成り、本体の長手方向側面部とほぼ同一長さに形成された最長形状の後部仕切板を、本体中央よりもやや後部寄り位置において長手方向側面部に平行して取付け、中間長さに形成された前部仕切板を、該後部仕切板に平行して取付け、最短形状に形成された側部仕切板の一端部を、後部仕切板に直角状に取付けて構成するとともに、前部仕切板と後部仕切板との間に絵の具包装箱を横長縦状に収納し、また側部仕切板と後部仕切板と本体側面部によって囲繞された空隙部に液体充填容器を縦状に収納し、その収納状態を維持して移送するようにしたことを特徴とする絵の具箱。
【請求項３】
上記した本体を、上記所定物品の上部をやや突出させて収納可能な形状に形成するとともに、上記した蓋体を、前記所定物品の上方突出部を収容可能な形状に形成したことを特徴とする請求項１または請求項２に記載の絵の具箱。
【考案の詳細な説明】
【技術分野】
【０００１】  本考案は、油絵の具や水彩絵の具、アクリル絵の具などの絵の具類、パレット、絵筆および各種ナイフ類、筆洗油などの液体充填容器等（本考案では、これらを絵の具セットと総称する）を収納して、スケッチ場所などに持参するための絵の具箱に係るものであり、さらに詳しくは、これらの絵の具セットを整理整頓したままの状態で持ち運び可能とするとともに、収納している筆洗油等が移送中に漏出することを防止するようにした絵の具箱に関するものである。
【背景技術】
【０００２】  従来、上述のような絵の具セットを収納する箱としては、浅底状のアタッシュケース型のものが一般的に採用されている。このような形態の絵の具箱は、絵の具セットの収納時には、箱本体を水平状に設定して収納作業を行うが、持ち運ぶ際には、箱本体を垂直状に倒した状態で運ぶような構造となっている。（特許文献１）【０００３】  上記のような構造の絵の具箱を持ち歩く場合は、垂直状の箱本体内で絵の具セットが横に倒れた形態となるため、各物品が移送中の揺れで入り混じってしまい、目的地に着いた後に、絵の具セットを改めて整理整頓する必要があるばかりでなく、筆洗油等の液体が容器から漏出し易いという顕著な問題点があった。【０００４】  このような問題点を解決した考案としては、深底状に形成した絵の具箱の内部を仕切板によって区画し、その各区画内に絵の具セットを縦状に収納するようにし、その縦状に収納した状態で持ち歩く構造のものがある。この場合は、絵の具箱本体における一方の長手方向側面の近傍に、仕切板を用いて小区画を形成し、その各小区画内に、内部に封入された絵の具類の色彩を表面に表示して成る絵の具類入りチューブの１乃至３本ずつを一組として収納し、またこの小区画の列端に筆洗い等の備品収納部を設け、さらに他方の長手方向側面の近傍に、取り外し可能な仕切板を用いてパレット収納部を形成するとともに、両仕切板間に形成された箱内中央の空隙部に、その他の道具類等を収納するように構成されている。（特許文献２）
【特許文献１】  実開昭６２−１１１８９９号公報
【特許文献２】  実用新案登録第３１４５６１４号公報
【考案の開示】
【考案が解決しようとする課題】
【０００５】  しかしながら、上記した特許文献２の絵の具箱は、以下に記載するような顕著な欠点を有している。
すなわち、該特許文献２の絵の具箱は、蓋体が板状に設けられているため、必然的に絵の具箱本体が深底状に形成されており、その深底状の本体における一方側の長手方向側面の近傍に、内部に封入された絵の具類の色彩を表面に表示して成る絵の具類入りチューブを並べて立てるようになっている。したがって最も外側寄りに立てられた第１列目のチューブは、高い壁状の側面と第２列目のチューブとの間で密接状に挟まれた形態となっているので、非常に取り出し難いという欠点がある。またこの考案は、前記チューブを立てるための仕切板が絵の具箱本体に固着されているので、例えば、チューブのキャップをこの小区画内に取り落とした場合には、キャップを拾い上げるのに非常な困難を伴うばかりでなく、この小区画内が汚れた場合などに、掃除等がし難いという欠点もある。【０００６】  さらに該特許文献２の絵の具箱は、例えば絵の具を購入した際に提供されるような絵の具入りチューブの一括包装箱を廃棄し、各チューブを個別に独立させて収容するようになっているが、使用者がこのような包装箱のままで目的地まで移送したい場合には、使用者の所望に応じられないという大きな不具合もあった。【０００７】  そこで本考案は、一組の絵の具セットのうちの所定物品を縦状に収納することにより、持ち運び時における液漏れ防止および整理整頓を容易に実現するようにし、また封入された絵の具類の色彩表示部を設けて成る絵の具類入りチューブ（本考案では、単に絵の具入りチューブと称する）の取り出しを迅速容易に行うことができるようにするとともに、絵の具入りチューブ収納部位の清掃等を簡易に行うことができる絵の具箱の提供を目的とするものである。【０００８】  さらに本考案は、使用者の所望によっては、絵の具入りの各チューブを一括収納している包装箱（本考案では、この箱を絵の具包装箱と称する）をそのまま横長縦状に収納して持ち運びできるように構成した絵の具箱の提供も可能とするものである。
【課題を解決するための手段】
【０００６】  上記の課題を解決するため、本考案は以下のような構成となっている。
すなわち請求項１に記載の本考案は、その内部が仕切部材によって区画された形状の絵の具箱の本体に開閉自在な蓋体が取付けられ、その区画された各部に絵の具セットの各物品をそれぞれ区分して収納し、且つその絵の具セットのうちの所定物品を縦状に収納可能に形成して成る絵の具箱であって、前記した所定物品を、絵の具入りチューブと液体充填容器とし、また前記した仕切部材は、本体の長手方向側面部とほぼ同一長さに形成された細長帯状の後部仕切板と、該後部仕切板と同一に形成された前部仕切板と、前記の両仕切板よりも横寸法が短く形成され、且つ両仕切板間に着脱自在に取付けられた格子状仕切板とを備えて成り、その後部仕切板と前部仕切板間に格子状仕切板を存した形状の仕切部材を、本体内の中央を横断して着脱自在に取付けた構成とするとともに、前記した格子状仕切板によって形成された多数の小区画内に、絵の具入りチューブのそれぞれを縦状に個別収納し、また前記小区画の横に形成された空隙部に液体充填容器を縦状に収納し、その収納状態を維持して移送するようにしたことを特徴とする絵の具箱である。【０００７】  請求項２に記載の本考案は、その内部が仕切部材によって区画された形状の絵の具箱の本体に開閉自在な蓋体が取付けられ、その区画された各部に絵の具セットの各物品をそれぞれ区分して収納し、且つその絵の具セットのうちの所定物品を縦状に収納可能に形成して成る絵の具箱であって、前記した所定物品を、絵の具包装箱と液体充填容器とし、また前記した仕切部材は、本体側面部に着脱自在に取付けられ、且ついずれも細長帯状に形成された長さの異なる３枚の仕切板を備えて成り、本体の長手方向側面部とほぼ同一長さに形成された最長形状の後部仕切板を、本体中央よりもやや後部寄り位置において長手方向側面部に平行して取付け、中間長さに形成された前部仕切板を、該後部仕切板に平行して取付け、最短形状に形成された側部仕切板の一端部を、後部仕切板に直角状に取付けて構成するとともに、前部仕切板と後部仕切板との間に絵の具包装箱を横長縦状に収納し、また側部仕切板と後部仕切板と側面部によって囲繞された空隙部に液体充填容器を縦状に収納し、その収納状態を維持して移送するようにしたことを特徴とする絵の具箱である。【０００８】  請求項３に記載する本考案は、請求項１または請求項２の絵の具箱において、上記した本体を、所定物品の上部をやや突出させて収納可能な形状に形成するとともに、上記した蓋体を、前記所定物品の上方突出部を収容可能な形状に形成したことを特徴とするものである。
【考案の効果】
【０００９】  本考案に成る絵の具箱は、絵の具箱の本体と蓋体とを合わせた内部空間に、絵の具入りチューブや液体充填容器等を縦状に収納し、そのままの形態で持ち運びできるようになっているので、移動時の液漏れ防止や箱内の整理整頓を簡易に実現できるという効果があるばかりでなく、細長い帯板状に形成した２枚の仕切板および格子状仕切板を組み合わせた形状の仕切部材を用いて、絵の具箱の本体中央部に多数の小区画を形成し、その多数の小区画内に収容した形態の絵の具入りチューブが、その上部を本体から突出するように設けてあるので、絵の具入りチューブの出し入れを非常に容易に行うことができるとともに、その仕切部材を着脱自在に取付けるようになっているので、絵の具収納部の清掃等も容易に行うことができるという特筆すべき効果がある。【００１０】  さらに本考案に成る絵の具箱の他の実施例は、絵の具購入時の状態とほぼ同様な包装箱内に絵の具入りチューブを一括収納して持ち運ぶことができるので、使用者の所望に応じて異なった構造の絵の具箱を選択使用することができるという利点もある。
【考案を実施するための最良の形態】
【００１１】  以下に、本考案に成る絵の具箱の最良の実施形態を図面に基づいて説明するが、本考案は、箱内に区分して収められる絵の具セットのうちの所定物品を縦状に収納し、その収納状態を維持して移送するように構成したものであり、絵の具箱の本体１と蓋体２および一組の仕切部材２０を主たる構成材とするものである。【００１２】  なお、本実施形態において使用される絵の具セットとしては、油絵の具や水彩絵の具、アクリル絵の具等の絵の具類（ここでは油絵の具を使用する場合を例として説明する）における絵の具入りチューブ５、二つ折り型のパレット６、絵筆および各種ナイフ類８（以下、筆類８と称する）、筆洗油その他の液状物質を収容して成る液体充填容器７である。また上述した所定物品としては、絵の具包装箱から取出された個々の絵の具入りチューブ５と液体充填容器７を採用しているが、これらの他に横長縦状に収納するパレット６を加えるようにしてもよい。【００１３】  上記した本体１は、図１および図３に示すように、縦状に収納する絵の具入りチューブ５と液体充填容器７の上部が、該本体１の上面からやや突出して納置される横長状の形状となっている。したがって本体１の側面部の縦寸法は、前記した所定物品の縦寸法よりもやや小さくなるように形成されている。【００１４】  また蓋体２は、絵の具箱を閉じた場合に、本体１から上方に突出している所定物品の上部を内側の空隙部に収納可能な形状に形成されており、図示しない蝶番を介して開閉自在に設けられ、且つ開閉金具３によって止着可能に設けられるとともに、その上面には、図示しない把手が取付けられた形状となっている。【００１５】  なお本実施形態においては、所定物品を本体１の上面からやや突出した形状で収納する構造となっているが、この所定物品が本体１の上面より下方に没入した形状で収納するようにしてもよい。この場合は、本体１の側面部の高さが図示のものよりも高くなり、また蓋体２は大略平板状に形成されるものとする。【００１６】  一組の仕切部材２０は、図２に示すように、本体１の内部中央を長手方向に横断する形態で配置されるものである。すなわち本体１の長手方向側面部１Ａとほぼ同一長さに形成され、且つ本体中央よりもやや後部寄り位置において長手方向側面部１Ａに平行して配置される細長帯状の後部仕切板２１と、本体中央よりもやや前部寄り位置において後部仕切板２１と平行して配置される細長帯状の前部仕切板２２と、その両仕切板の間に取付けられる格子状仕切板２３を備えて成るものである。またこのような仕切部材２０は、図３に示すように、その全体の高さが、本体１の側面部よりもやや低くなるように形成されている。【００１７】  また前記格子状仕切板２３は、図４に示すように、長手方向に配置される長尺状仕切板２３Ａと、短手方向に配置される多数枚（本実施形態では８枚）の短尺状仕切板２３Ｂとを、直角状に交差して設けたものである。該格子状仕切板２３の横方向の長さは、この格子状仕切板２３によって形成される小区画の列端部の横方（図における右方）に、２種類程度の液体充填容器７を収納することができるように、前記した後部仕切板２１および前部仕切板２２よりも短く形成されている。【００１８】  さ��に本体１の相対向する短手方向側面部１Ｂには、前記後部仕切板２１と前部仕切板２２を着脱自在に取付けるための嵌入溝４がそれぞれ形成されており、また該後部仕切板２１と前部仕切板２２の相対向する内側面には、前記格子状仕切板２３を着脱自在に取付けるための嵌入溝２４がそれぞれ形成されている。したがってこの仕切部材２０は、その場に応じて、仕切部材２０の全体を本体１から取り外したり、格子状仕切板２３のみを取り外すことが可能となっている。なお本実施形態においては、格子状仕切板２３の長尺状仕切板２３Ａと短尺状仕切板２３Ｂをあらかじめ格子状に固定した形状に設けているが、この２種類の仕切板も分解および組立可能に設けるようにしてもよい。【００１９】  なお上記した前部仕切板２２と前側の長手方向側面部１Ａの間には、２片の補助仕切板２５が相対向状に固着されている。この補助仕切板２５は、前述した仕切部材２０のほぼ半分程度の高さを有して設けられているもので、前記仕切部材２０の位置固定や収納された絵筆類の支持などのような補助的役割を担うものである。【００２０】  続いて、以上のように構成された本実施形態の使用方法について説明する。
絵の具セットを成す各物品は、仕切部材２０によって形成されたそれぞれの区画に、以下のように分別して収納されるようになっている。すなわち後部仕切板２１の後方に位置する空隙部はパレット収納部１１で、図１に示すように、二つ折り型のパレット６が横長縦状に収納され、また格子状仕切板２３が取付けられた部分は絵の具収納部１０で、格子状仕切板２３によって形成された多数の小区画に、絵の具入りチューブ５の１本ずつを縦状に収納するようになっている。さらに後部仕切板２１と前部仕切板２２の間における格子状仕切板２３横の空隙部（図における右側空隙部）は液体容器収納部１２で、この収納部に筆洗油その他の液状物質を収容して成る液体充填容器７を縦状に収納するようになっている。さらにまた前部仕切板２２の前方に位置する空隙部は筆類等収納部１３となっていて、絵筆やパレットナイフのような筆類８が横状に寝かせた形態で収納されるものである。【００２１】  なお本考案においては、パレット収納部１１の前後幅を図示よりも広く形成して、パレット６を横状に寝かせて収納するように構成することも可能であるが、このパレット６の収納を本実施形態のような横長縦状に収納すれば、絵の具箱をコンパクトに製作することができるので、より好適である。なおまた筆類８を縦状に収納する形状にした場合は、本体１の側面部が非常に高くなって使い勝手が悪くなるので、本考案では、筆類８を横状に寝かせて収納するものとする。【００２２】  また前述した如くに、パレット６を横状に寝かせて収納する場合には、パレット収納部１１と筆類等収納部１３の位置を前後逆に設定することも可能であり、さらには、格子状仕切板２３を、図示の位置よりもやや右寄りに配置することにより、格子状仕切板２３の左右２箇所に空隙部を形成し、その左右の空隙部に液体充填容器７の１本ずつを分離して収納する構成とすることも可能である。【００２３】  次に、図５，図６を参照して本考案の他の実施形態について説明する。
この実施形態では、絵の具収納部１０に収納する物品が、個々の絵の具入りチューブ５ではなく、絵の具入りチューブ５を一括挿入して成る絵の具包装箱９となっているので、本体１および蓋体２の形状は前実施形態の場合と同様であるが、仕切部材２０の形状が大きく異なっている。すなわちこの場合における仕切部材２０は、長さの異なる３枚の仕切板を備えて成るもので、前実施形態の場合と同一に形成された後部仕切板２１と、該後部仕切板２１よりもやや短く形成された前部仕切板２２と、最も短く形成された側部仕切板２６が組み合わされた形状となっている。【００２４】  後部仕切板２１は、前実施形態の場合と全く同じ位置、すなわち本体中央よりもやや後部寄り位置に同じ形態で取付けられているが、前部仕切板２２は、前後の仕切板間の空隙部に絵の具包装箱９を横長縦状に収納可能とすべく、後部仕切板２１との間隔が前実施形態の場合よりも狭く配置されている。また側部仕切板２６は、前部仕切板２２の図における右端部に固定され、且つその一端部が後部仕切板２１と直角状を成すように固定された形状となっており、本体１の短手方向側面部１Ｂと平行した形状に取付けられている。なおこの側部仕切板２６と他の仕切板との固定形状としては、他の仕切板と一体状に固着した形状にしてもよいが、他の仕切板と分離可能に固定するようにしてもよい。【００２５】  このように配置された仕切部材２０は、本体１の両側の短手方向側面部１Ｂ，１Ｂと前側の長手方向側面部１Ａの当接部位に形成された嵌入溝４を介して、着脱自在に取付けられるようになっている。なお該仕切部材２０はいずれも帯板状に形成されるもので、その高さは前実施形態の場合と全く同様である。【００２６】  上記のように構成された本実施形態では、図５に示すように、後部仕切板２１の後方に位置するパレット収納部１１にパレット６を横長縦状に収納するようにし、また後部仕切板２１と前部仕切板２２の間の絵の具収納部１０に絵の具包装箱９を横長縦状に収納するようになっている。さらに側部仕切板２６と後部仕切板２１と短手方向側面部１Ｂと長手方向側面部１Ａによって囲繞された液体容器収納部１２に、液体充填容器７を縦状に収納するようにするとともに、前部仕切板２２の前方に位置する筆類等収納部１３に、絵筆やパレットナイフのような筆類８を横状に寝かせた形態で収納するようになっている。【００２７】  本考案は以上のような構成となっているので、仕切部材２０によって区画された各収納部に、絵の具セットを成す物品を分別して収納するものであり、また少なくとも絵の具収納部１０および液体容器収納部１２に収納される物品は、縦状に収納することを必須要件とするものである。
【図面の簡単な説明】
【００２８】
【図１】本考案に成る絵の具箱の使用状態を示す斜視図である。
【図２】図１における絵の具箱の本体内の構造を示す平面図である。
【図３】図２のＡ−Ａ線断面図である。
【図４】格子状仕切板の形状を示す斜視図である。
【図５】他の実施形態における絵の具箱の本体内の構造を示す平面図である。
【図６】図５の絵の具箱の要部断面図である。
【符号の説明】
【００２９】      １  絵の具箱の本体
１Ａ  長手方向側面部
１Ｂ  短手方向側面部
２  蓋体
４  ，２４  嵌入溝
５  絵の具入りチューブ
６  パレット
７  液体充填容器
８  絵筆および各種ナイフ類
９  絵の具包装箱
１０  絵の具収納部
１１  パレット収納部
１２  液体容器収納部
１３  筆類等収納部
２０  仕切部材
２１  後部仕切板
２２  前部仕切板
２３  格子状仕切板
２３Ａ  長尺状仕切板
２３Ｂ  短尺状仕切板
２５  補助仕切板
２６  側部仕切板
【図１】
0003149232.tif 000003
【図２】
0003149232.tif 000004
【図３】
0003149232.tif 000005
【図４】
0003149232.tif 000006
【図５】
0003149232.tif 000007
【図６】
0003149232.tif 000008